Podtech/llm-jp-corpus-v4-ja_patent huggingface dataset:
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
（ａ）約１７重量％〜約４０重量％のＨＦＣ−３２；
（ｂ）約５１重量％〜約８３重量％の２，３，３，３−テトラフルオロプロペン；及び
（ｃ）約０重量％より多く約９重量％未満のＣＯ２；
を含み；
但し、成分（ｃ）の量は、低温又は中温冷却システムにおける組成物の能力、効率、吐出温度、吐出圧力、又はエネルギー消費量の１以上を、成分（ｃ）を含まない組成物と比べて向上させるのに有効なものである熱伝達組成物。
【請求項２】
組成物が、
（ａ）約１７重量％〜約２２重量％のＨＦＣ−３２；
（ｂ）約７３重量％〜約８３重量％の２，３，３，３−テトラフルオロプロペン；及び
（ｃ）約０重量％〜約５重量％のＣＯ２；
を含む、請求項１に記載の熱伝達組成物。
【請求項３】
システムから、ＨＦＣ−４０４Ａを含む既存の熱伝達流体の少なくとも一部を取り出し、請求項１〜２のいずれかに記載の熱伝達組成物をシステム中に導入することによって既存の熱伝達流体の少なくとも一部を置き換えることを含む、低温又は中温冷却システム中に含まれる既存の熱伝達流体を置き換える方法。
【手続補正２】
【補正対象書類名】明細書
【補正対象項目名】００６７
【補正方法】変更
【補正の内容】
【００６７】
表５において示されるように、予測される能力及びＣＯＰはＣＯ２の量に伴って直線的に増加する。約３％のＣＯ２において、能力におけるより近い合致、及び僅かに良好なＣＯＰが起こる。吐出圧力及び温度の両方もまた、ＣＯ２の量に伴って一定に増加するように示された。吐出圧力は、約３〜６％のＣＯ２量に関してＲ−４０４Ａにほぼ匹敵している。吐出温度は、６％より低いＣＯ２量に関してＲ４０４Ａの１０℃以内である。
本発明は以下の態様を含む。
［１］
（ａ）約１７重量％〜約４０重量％のＨＦＣ−３２；
（ｂ）約５１重量％〜約８３重量％の２，３，３，３−テトラフルオロプロペン；及び
（ｃ）約０重量％より多く約９重量％未満のＣＯ２；
を含み；
但し、成分（ｃ）の量は、低温又は中温冷却システムにおける組成物の能力、効率、吐出温度、吐出圧力、又はエネルギー消費量の１以上を、成分（ｃ）を含まない組成物と比べて向上させるのに有効なものである熱伝達組成物。
［２］
組成物が、
（ａ）約１７重量％〜約２２重量％のＨＦＣ−３２；
（ｂ）約７３重量％〜約８３重量％の２，３，３，３−テトラフルオロプロペン；及び
（ｃ）約０重量％〜約５重量％のＣＯ２；
を含む、［１］に記載の熱伝達組成物。
［３］
組成物が、
（ａ）約１８重量％〜約２２重量％のＨＦＣ−３２；
（ｂ）約７４重量％〜約８０重量％の２，３，３，３−テトラフルオロプロペン；及び
（ｃ）約２重量％〜約４重量％のＣＯ２；
を含む、［１］に記載の熱伝達組成物。
［４］
組成物が、同じ低温及び／又は中温冷却システムにおいて同じ条件下でＲ−４０４Ａの能力の約９０％以上乃至約１１０％以下の能力を示す、［１］〜［３］のいずれかに記載の熱伝達組成物。
［５］
組成物が、同じ低温及び／又は中温冷却システムにおいて同じ条件下でＲ−４０４Ａの能力の約９５％以上乃至約１１０％以下の能力を示す、［１］〜［４］のいずれかに記載の熱伝達組成物。
［６］
組成物が、同じ低温及び／又は中温冷却システムにおいて同じ条件下でＲ−４０４Ａの効率の少なくとも９５％の効率を示す、［１］〜［５］のいずれかに記載の熱伝達組成物。
［７］
組成物が、同じ低温及び／又は中温冷却システムにおいて同じ条件下でＲ−４０４Ａの吐出圧力の約９５％以上乃至約１０５％以下の高圧側吐出圧力を示す、［１］〜［６］のいずれかに記載の熱伝達組成物。
［８］
組成物が、同じ低温及び／又は中温冷却システムにおいて同じ条件下でＲ−４０４Ａの吐出温度よりも１５℃以下高い高温側吐出温度を示す、［１］〜［７］のいずれかに記載の熱伝達組成物。
［９］
潤滑剤を更に含む、［１］〜［８］のいずれかに記載の熱伝達組成物。
［１０］
システムから、ＨＦＣ−４０４Ａを含む既存の熱伝達流体の少なくとも一部を取り出し、［１］〜［９］のいずれかに記載の熱伝達組成物をシステム中に導入することによって既存の熱伝達流体の少なくとも一部を置き換えることを含む、低温又は中温冷却システム中に含まれる既存の熱伝達流体を置き換える方法。
【手続補正書】
【提出日】平成30年5月11日(2018.5.11)
【手続補正１】
【補正対象書類名】特許請求の範囲
【補正対象項目名】全文
【補正方法】変更
【補正の内容】
【特許請求の範囲】
【請求項１】
２つの熱可塑性ポリウレタンコポリマー（Ａ）および（Ｂ）を含むホットメルト接着剤組成物であって、熱可塑性ポリウレタンコポリマー（Ａ）は、
少なくとも１つのポリエステルポリオール、および
少なくとも１つのポリイソシアネート
の反応生成物を含み、および数平均分子量（Ｍｎ）が少なくとも２５，０００ｇ／ｍｏｌであり、熱可塑性ポリウレタンコポリマー（Ｂ）は、
少なくとも１つのポリエステルポリオール、および
少なくとも１つのポリイソシアネート
の反応生成物を含み、および数平均分子量（Ｍｎ）が２５，０００ｇ／ｍｏｌ未満であり、および
ホットメルト接着剤組成物は１６０℃で１，０００〜１００，０００ｍＰａｓの溶融粘度を有する、ホットメルト接着剤組成物。
【請求項２】
（Ｂ）に対する（Ａ）の重量比は５：９５〜９５：５である、請求項１に記載のホットメルト接着剤組成物。
【請求項３】
（Ａ）は少なくとも３０，０００ｇ／ｍｏｌ、好ましくは少なくとも３５，０００ｇ／ｍｏｌの数平均分子量（Ｍｎ）を有する、請求項１または２に記載のホットメルト接着剤組成物。
【請求項４】
（Ｂ）は２０，０００ｇ／ｍｏｌ未満、好ましくは１５，０００ｇ／ｍｏｌ未満の数平均分子量（Ｍｎ）を有する、請求項１〜３のいずれかに記載のホットメルト接着剤組成物。
【請求項５】
ホットメルト接着剤組成物は、ホットメルト接着剤組成物の全重量を基準にして０．１〜５０重量％の添加剤をさらに含み、該添加剤は安定剤、接着促進剤、可塑剤、粘着付与剤、フィラー、（Ａ）および（Ｂ）とは異なった熱可塑性ポリマー、およびそれらの組み合わせから好ましくは選択される、請求項１〜４のいずれかに記載のホットメルト接着剤組成物。
【請求項６】
ホットメルト接着剤組成物は、該組成物の全重量を基準に
５０〜９３．５重量％の２つの熱可塑性ポリウレタンコポリマー（Ａ）および（Ｂ）、
０．５〜５重量％の少なくとも１種の安定剤、
１〜２０重量％の少なくとも１種の可塑剤、
５〜４５重量％の少なくとも１種の粘着付与剤、
４３．５重量％までの（Ａ）および（Ｂ）とは異なった少なくとも１種の熱可塑性ポリマー
を含む、請求項１〜５のいずれかに記載のホットメルト接着剤組成物。
【請求項７】
熱可塑性ポリウレタンコポリマー（Ａ）および／または（Ｂ）の少なくとも１つのポリエステルポリオールはオルトフタレートを含む、請求項１〜６のいずれかに記載のホットメルト接着剤組成物。
【請求項８】
オルトフタレートは、熱可塑性ポリウレタンコポリマー（Ｂ）の少なくとも１つのポリエステルポリオール中に含まれる、請求項７に記載のホットメルト接着剤組成物。
【請求項９】
熱可塑性ポリウレタンコポリマー（Ａ）および／または（Ｂ）の少なくとも１つのポリエステルポリオールは、
ａ）４０〜１５０℃の融点（Ｔｍ）を有する少なくとも１つの半結晶性ポリエステルポリオール；および
ｂ）少なくとも１つの非結晶性ポリエステルポリオール
を含む、請求項１〜８のいずれかに記載のホットメルト接着剤組成物。
【請求項１０】
少なくとも１つの非結晶性ポリエステルポリオールｂ）は、
ｃ）７５０ｇ／ｍｏｌ未満の数平均分子量（Ｍｎ）を有する非結晶性ポリエステルポリオール、および
ｄ）少なくとも７５０ｇ／ｍｏｌの数平均分子量（Ｍｎ）を有する非結晶性ポリエステルポリオール
を含む、請求項９に記載のホットメルト接着剤組成物。
【請求項１１】
オルトフタレートはポリエステルポリオール化合物ｂ）に含まれる、請求項９に記載のホットメルト接着剤組成物。
【請求項１２】
オルトフタレートはポリエステルポリオール化合物ｃ）に含まれる、請求項１０に記載のホットメルト接着剤組成物。
【請求項１３】
（Ａ）および（Ｂ）とは異なった少なくとも１つの熱可塑性ポリマーは、ＥＶＡ、ゴム型ポリマー、スチレンコポリマー、ポリエステルコポリマー、ポリカーボネート、ポリアミド、アクリルおよび熱可塑性ポリウレタンまたはそれらの組み合わせから選択される、請求項５〜１２のいずれかに記載のホットメルト接着剤組成物。
【請求項１４】
請求項１〜１３のいずれか１つに記載のホットメルト接着剤組成物を基材へ適用する方法であって、
１）ホットメルト接着剤組成物を攪拌もせん断も伴わずに加熱容器中で溶融する工程、
２）工程１）の溶融ホットメルト接着剤組成物を歯車またはピストンポンプより加熱ホースを通してポンプ輸送する工程、および
３）ホットメルト接着剤組成物をノズル、ローラーまたはスプレーヘッドより基材上へ適用する工程
を含む、方法。
【請求項１５】
製本、木材接着、フラットラミネーション、フレキシブル包装、プロファイルラッピング、エッジバンディング、テキスタイルラミネーション、低圧成形、および靴における請求項１〜１３のいずれかに記載のホットメルト接着剤組成物の使用。
【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
対象における重度の高トリグリセリド血症の治療剤であって、重度の高トリグリセリド血症が少なくとも500 mg/dLの血清トリグリセリドレベルを指し、(R)-2-(4-((2-エトキシ-3-(4-(トリフルオロメチル)フェノキシ)プロピル)チオ)-2-メチルフェノキシ)酢酸である化合物またはその塩を含む、治療剤。
【請求項２】
前記化合物が、(R)-2-(4-((2-エトキシ-3-(4-(トリフルオロメチル)フェノキシ)プロピル)チオ)-2-メチルフェノキシ)酢酸のL-リシン二水和物である、請求項１に記載の治療剤。
【請求項３】
経口投与のための、請求項１または２に記載の治療剤。
【請求項４】
前記化合物の用量（(R)-2-(4-((2-エトキシ-3-(4-(トリフルオロメチル)フェノキシ)プロピル)チオ)-2-メチルフェノキシ)酢酸として計算されたとき）が、20〜200 mg/日である、請求項１〜３のいずれか１項に記載の治療剤。
【請求項５】
前記化合物の用量（(R)-2-(4-((2-エトキシ-3-(4-(トリフルオロメチル)フェノキシ)プロピル)チオ)-2-メチルフェノキシ)酢酸として計算されたとき）が、50〜200 mg/日である、請求項４に記載の治療剤。
【請求項６】
前記化合物が、1回/日投与される、請求項１〜５のいずれか１項に記載の治療剤。
【請求項７】
前記対象が、フィブラート、ナイアシン、またはオメガ-3脂肪酸のうちの少なくとも１つで投与されているものである、請求項１〜６のいずれか１項に記載の治療剤。
【請求項８】
前記対象が、アフェレーシスによっても治療されているものである、請求項１〜７のいずれか１項に記載の治療剤。
【請求項９】
前記重度の高トリグリセリド血症が、少なくとも750 mg/dLの血清トリグリセリドレベルを指すものである、請求項１〜８のいずれか１項に記載の治療剤。
【請求項１０】
前記重度の高トリグリセリド血症が、少なくとも1000 mg/dLの血清トリグリセリドレベルを指すものである、請求項１〜９のいずれか１項に記載の治療剤。
【請求項１１】
前記重度の高トリグリセリド血症が、I型高リポタンパク血症である、請求項１〜１０のいずれか１項に記載の治療剤。
【請求項１２】
前記重度の高トリグリセリド血症が、V型高リポタンパク血症である、請求項１〜１０のいずれか１項に記載の治療剤。
【請求項１３】
前記重度の高トリグリセリド血症が、難治性である、請求項１〜１２のいずれか１項に記載の治療剤。
【手続補正２】
【補正対象書類名】明細書
【補正対象項目名】００１１
【補正方法】変更
【補正の内容】
【００１１】
LPL欠損のための遺伝子組換え治療のアリポジーン・チパルボベック（GLYBERA）が開発され、2012年に欧州で（オーファンドラッグとして）承認されたが、未だ米国では承認されていない。それは、ウイルスタンパク質の殻中に遺伝子の1012ゲノムコピーの脚の筋肉への複数回注射（70 Kgの患者では47回の注射）からなる単一処置として投与され：脊髄または局所麻酔（または深部鎮静）が手順のために推奨され、メチルプレドニゾロンの前処置が必要とされ；免疫抑制の投与計画が処置前3日間および処置後12週間必要とされる。経口ジアシルグリセロールアシルトランスフェラーゼ-1阻害剤であるPradigastatは、現在FCSについての第3相臨床試験中である。EPAとのナイアシンのコンジュゲートであるCAT-2003は、I型高リポタンパク血症を含むHTGの患者における3つの第2相臨床試験を完了している。
【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
ｉ）約０．２５％〜約１％ｗ／ｖのメチマゾール、またはその薬学的に許容される塩もしくは溶媒和化合物と、
ｉｉ）少なくとも約０．２％ｗ／ｖの多糖と、
ｉｉｉ）水と
を含む経口用液体組成物。
【請求項２】
少なくとも約０．４％ｗ／ｖの前記多糖を含む、請求項１に記載の組成物。
【請求項３】
前記多糖が、両性、陰イオン性、陽イオン性、疎水性および非イオン性多糖ならびにそれらの組合せからなる群から選択される、請求項１又は２に記載の組成物。
【請求項４】
前記多糖が陰イオン性である、請求項１から３のいずれか１項に記載の組成物。
【請求項５】
前記多糖がガムである、請求項１から４のいずれか１項に記載の組成物。
【請求項６】
前記多糖がキサンタンガムである、請求項５に記載の組成物。
【請求項７】
粘稠剤をさらに含む、請求項１から６のいずれか１項に記載の組成物。
【請求項８】
前記粘稠剤が、前記組成物の総体積の少なくとも約０．５％ｗ／ｖである、請求項７に記載の組成物。
【請求項９】
前記粘稠剤が、ジステアリン酸アルミニウム、グリセロール、硬化ヒマシ油、ポリビニルピロリドンおよびそれらの組合せからなる群から選択される、請求項７又は８に記載の組成物。
【請求項１０】
湿潤剤をさらに含む、請求項１から９のいずれか１項に記載の組成物。
【請求項１１】
前記湿潤剤が、前記組成物の総体積の０．１％〜約１．０％ｗ／ｖである、請求項１０に記載の組成物。
【請求項１２】
前記湿潤剤が、ポリソルベート８０、シメチコンエマルジョンおよびそれらの組合せからなる群から選択される、請求項１０又は１１に記載の組成物。
【請求項１３】
ｐＨ緩衝溶液をさらに含む、請求項１から１２のいずれか１項に記載の組成物。
【請求項１４】
前記ｐＨ緩衝溶液が、クエン酸、リン酸二ナトリウム二水和物、リン酸二水素ナトリウム二水和物およびそれらの組合せからなる群から選択される、請求項１３に記載の組成物。
【請求項１５】
前記組成物のｐＨが少なくとも約４．３以上である、請求項１３に記載の組成物。
【請求項１６】
保存剤をさらに含む、請求項１から１５のいずれか１項に記載の組成物。
【請求項１７】
前記保存剤が安息香酸ナトリウムを含む、請求項１６に記載の組成物。
【請求項１８】
ネコの甲状腺機能亢進症の治療または予防のための請求項１から１７のいずれか１項に記載の組成物。
【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
（Ｓ）−６−（（１−アセチルピペリジン−４−イル）アミノ）−Ｎ−（３−（３、４−ジヒドロイソキノリン−２（１Ｈ）−イル）−２−ヒドロキシプロピル）ピリミジン−４−カルボキサミドのコハク酸塩の結晶形。
【請求項２】
ＣｕＫα放射線を用いて測定された際に、約４．５、８．２、９．０、１０．４、１３．５、１５．８、１６．４、１７．３、１７．７、１８．１、１８．８、１９．６、２０．８、２１．９、２２．７、２３．３、２４．０、２４．７、２６．４、２８．２および２９．６度２θからなる群から選択される少なくとも３つの回折角度を含んでなる粉末Ｘ線回折（ＸＲＰＤ）パターンによって特徴付けられる、請求項１に記載の結晶形。
【請求項３】
ＣｕＫα放射線を用いて測定された際に、約４．５、８．２、１０．４、１３．５、１５．８、１６．４、１７．３、１７．７、１８．１、１８．８、１９．６、２０．８、２１．９、２３．３および２４．０度２θからなる群から選択される少なくとも３つの回折角度を含んでなる粉末Ｘ線回折（ＸＲＰＤ）パターンによって特徴付けられる、請求項１に記載の結晶形。
【請求項４】
ＣｕＫα放射線を用いて測定された際に、約４．５、８．２、１０．４、１３．５、１５．８、１６．４、１７．７、１８．１、１８．８、２０．８、２１．９、２３．３および２４．０度２θからなる群から選択される少なくとも３つの回折角度を含んでなる粉末Ｘ線回折（ＸＲＰＤ）パターンによって特徴付けられる、請求項１に記載の結晶形。
【請求項５】
ＣｕＫα放射線を用いて測定された際に、約４．５、１０．４、１７．７、１８．１、２０．８および２４．０度２θの回折角度を含んでなる粉末Ｘ線回折（ＸＲＰＤ）パターンによって特徴付けられる、請求項１に記載の結晶形。
【請求項６】
図１に実質的に従った粉末Ｘ線回折（ＸＲＰＤ）パターンによって特徴付けられる、請求項２〜５のいずれか一項に記載の結晶形。
【請求項７】
（Ｓ）−６−（（１−アセチルピペリジン−４−イル）アミノ）−Ｎ−（３−（３、４−ジヒドロイソキノリン−２（１Ｈ）−イル）−２−ヒドロキシプロピル）ピリミジン−４−カルボキサミドの安息香酸塩の結晶形。
【請求項８】
ＣｕＫα放射線を用いて測定された際に、約４．３、７．７、９．２、１０．９、１２．８、１４．２、１５．６、１６．６、１６．９、１８．１、１８．６、２１．５、２２．１、２３．４、２４．０、２４．２、２５．１、２５．９、２７．１、２８．８および３０．７度２θからなる群から選択される少なくとも３つの回折角度を含んでなる粉末Ｘ線回折（ＸＲＰＤ）パターンによって特徴付けられる、請求項７に記載の結晶形。
【請求項９】
ＣｕＫα放射線を用いて測定された際に、約４．３、７．７、９．２、１０．９、１２．８、１４．２、１５．６、１６．６、１６．９、１８．１、１８．６、２２．１、２４．０、２４．２、２５．９、２７．１および２８．８度２θからなる群から選択される少なくとも３つの回折角度を含んでなる粉末Ｘ線回折（ＸＲＰＤ）パターンによって特徴付けられる、請求項７に記載の結晶形。
【請求項１０】
ＣｕＫα放射線を用いて測定された際に、約４．３、７．７、１５．６、１６．６、１６．９、１８．１、１８．６、２２．１、２４．０、２７．１および２８．８度２θからなる群から選択される少なくとも３つの回折角度を含んでなる粉末Ｘ線回折（ＸＲＰＤ）パターンによって特徴付けられる、請求項７に記載の結晶形。
【請求項１１】
ＣｕＫα放射線を用いて測定された際に、約４．３、７．７、１８．１、１８．６、２２．１および２４．０度２θの回折角度を含んでなる粉末Ｘ線回折（ＸＲＰＤ）パターンによって特徴付けられる、請求項７に記載の結晶形。
【請求項１２】
図２に実質的に従った粉末Ｘ線回折（ＸＲＰＤ）パターンによって特徴付けられる、請求項８〜１１のいずれか一項に記載の結晶形。
【請求項１３】
請求項１〜６のいずれか一項に記載の結晶形および薬学的に許容可能な担体を含んでなる、医薬組成物。
【請求項１４】
請求項７〜１２のいずれか一項に記載の結晶形および薬学的に許容可能な担体を含んでなる、医薬組成物。
【請求項１５】
経口投与用に適用される、請求項１３に記載の組成物。
【請求項１６】
錠剤またはカプセルの形態である、請求項１５に記載の組成物。
【請求項１７】
経口投与用に適用される、請求項１４に記載の組成物。
【請求項１８】
錠剤またはカプセルの形態である、請求項１７に記載の組成物。
【請求項１９】
癌の治療に使用するための、請求項１３〜１８のいずれか一項に記載の組成物。
【請求項２０】
前記癌が、造血癌、肺癌、前立腺癌、黒色腫および膵臓癌からなる群から選択される、請求項１９に記載の組成物。
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
ａ）少なくとも１つの−ＳＯ２ＯＨ基を有するスルホン酸含有ポリマー材料を提供することと、ただし、前記スルホン酸含有ポリマー材料は、
ｉ）式（Ｉ）のモノマーを含む重合性組成物の重合生成物を含有する前駆体ポリマー材料と、
【化１】
2017519077.tif 000001
（式中、
各Ｒ１が、水素、ハロ、アルキル、アリール、アルカリール、又はアラルキルであり、少なくとも１つのＲ１が水素であり、
各Ｒ２が、独立して、水素、アルキル、アリール、アルカリール、アラルキルであるか、同じ炭素原子に結合しているＲ３基と一緒に環状アルキルを形成しているか、又は同じ炭素原子に結合しているＲ３基と一緒に１つ以上の炭素環と縮合している環状アルキルを形成しており、
各Ｒ３が、独立して、水素、アルキル、アリール、アルカリール、アラルキルであるか、同じ炭素原子に結合しているＲ２基と一緒に環状アルキルを形成しているか、同じ炭素原子に結合しているＲ２基と一緒に１つ以上の炭素環と縮合している環状アルキルを形成しているか、又は隣接する炭素原子に結合しているＲ４と一緒に炭素−炭素結合を形成しており、
各Ｒ４が、独立して、水素であるか、又は隣接する炭素原子に結合しているＲ３と一緒に炭素−炭素結合を形成している。）
ｉｉ）スルホニル含有化合物と、を含む第１の反応混合物の第１の反応生成物を含有する、
ｂ）式Ｑの塩基性窒素含有化合物の蒸気を前記スルホン酸含有ポリマー材料に収着させて、式−ＳＯ３−（ＱＨ＋）の少なくとも１つの基を有するポリマー材料を形成することと、
を備える、窒素含有化合物の捕捉方法。
【請求項２】
酸塩基反応混合物の酸塩基反応生成物を含有し、
前記酸塩基反応混合物が、
ａ）少なくとも１つの−ＳＯ３Ｈ基を有するスルホン酸含有ポリマー材料と、ただし、前記スルホン酸含有ポリマー材料は、
ｉ）式（Ｉ）のモノマーを含む重合性組成物の重合生成物を含有する前駆体ポリマー材料と、
【化２】
2017519077.tif 000002
（式中、
各Ｒ１が、水素、ハロ、アルキル、アリール、アルカリール、又はアラルキルであり、少なくとも１つのＲ１が水素であり、
各Ｒ２が、独立して、水素、アルキル、アリール、アルカリール、アラルキルであるか、同じ炭素原子に結合しているＲ３基と一緒に環状アルキルを形成しているか、又は同じ炭素原子に結合しているＲ３基と一緒に１つ以上の炭素環と縮合している環状アルキルを形成しており、
各Ｒ３が、独立して、水素、アルキル、アリール、アルカリール、アラルキルであるか、同じ炭素原子に結合しているＲ２基と一緒に環状アルキルを形成しているか、同じ炭素原子に結合しているＲ２基と一緒に１つ以上の炭素環と縮合している環状アルキルを形成しているか、又は隣接する炭素原子に結合しているＲ４と一緒に炭素−炭素結合を形成しており、
各Ｒ４が、独立して、水素であるか、又は隣接する炭素原子に結合しているＲ３と一緒に炭素−炭素結合を形成している。）
ｉｉ）スルホニル含有化合物と、を含む第１の反応混合物の第１の反応生成物を含有する、
ｂ）式Ｑの塩基性窒素含有化合物と、
を含む、式−ＳＯ３−（ＱＨ＋）の少なくとも１つの基を有するポリマー材料。
【手続補正書】
【提出日】平成30年6月25日(2018.6.25)
【手続補正１】
【補正対象書類名】特許請求の範囲
【補正対象項目名】全文
【補正方法】変更
【補正の内容】
【特許請求の範囲】
【請求項１】
ＭＤＭ２ｉを含む、がんの処置のための医薬組成物であって、ＭＤＭ２ｉは、（Ｓ）−５−（５−クロロ−１−メチル−２−オキソ−１，２−ジヒドロ−ピリジン−３−イル）−６−（４−クロロ−フェニル）−２−（２，４−ジメトキシ−ピリミジン−５−イル）−１−イソプロピル−５，６−ジヒドロ−１Ｈ−ピロロ［３，４−ｄ］イミダゾール−４−オンまたは（Ｓ）−１−（４−クロロ−フェニル）−７−イソプロポキシ−６−メトキシ−２−（４−｛メチル−［４−（４−メチル−３−オキソ−ピペラジン−１−イル）−ｔｒａｎｓ−シクロヘキシルメチル］−アミノ｝−フェニル）−１，４−ジヒドロ−２Ｈ−イソキノリン−３−オンであり、３週毎に１回投与されるものである、医薬組成物。
【請求項２】
ＭＤＭ２ｉを含む、がんの処置のための医薬組成物であって、ＭＤＭ２ｉは、（Ｓ）−５−（５−クロロ−１−メチル−２−オキソ−１，２−ジヒドロ−ピリジン−３−イル）−６−（４−クロロ−フェニル）−２−（２，４−ジメトキシ−ピリミジン−５−イル）−１−イソプロピル−５，６−ジヒドロ−１Ｈ−ピロロ［３，４−ｄ］イミダゾール−４−オンであり、３週毎に１回、１００〜８００ｍｇで経口投与されるものである、医薬組成物。
【請求項３】
ＭＤＭ２ｉを含む、がんの処置のための医薬組成物であって、ＭＤＭ２ｉは、（Ｓ）−１−（４−クロロ−フェニル）−７−イソプロポキシ−６−メトキシ−２−（４−｛メチル−［４−（４−メチル−３−オキソ−ピペラジン−１−イル）−ｔｒａｎｓ−シクロヘキシルメチル］−アミノ｝−フェニル）−１，４−ジヒドロ−２Ｈ−イソキノリン−３−オンであり、３週毎に１回、５００〜４０００ｍｇで経口投与されるものである、医薬組成物。
【請求項４】
前記がんが、膀胱、乳房、脳、頭頸部、肝臓、口腔、胆道、急性および慢性リンパ性白血病、急性および慢性骨髄性白血病、慢性骨髄単球性白血病、結腸直腸、胃、消化管間質、肝細胞、神経膠腫、リンパ腫、黒色腫、多発性黒色腫、骨髄増殖性疾患、神経内分泌、肺、非小細胞肺、膵臓、卵巣、前立腺、腎細胞、肉腫、脂肪肉腫、ならびに甲状腺のがんである、請求項１から３のいずれか一項に記載の医薬組成物。
【請求項５】
前記がんが、黒色腫、肺がんまたは神経芽細胞腫である、請求項１から３のいずれか一項に記載の医薬組成物。
【請求項６】
前記がんが黒色腫である、請求項１から３のいずれか一項に記載の医薬組成物。
【請求項７】
前記がんが神経芽細胞腫である、請求項１から３のいずれか一項に記載の医薬組成物。
【請求項８】
前記がんが白血病である、請求項１から３のいずれか一項に記載の医薬組成物。
【請求項９】
別の医薬成分をさらに含む、請求項１から８のいずれか一項に記載の医薬組成物。
【請求項１０】
前記別の医薬成分が別の抗腫瘍剤である、請求項９に記載の医薬組成物。
【請求項１１】
２種以上のさらなる抗腫瘍剤が投与されるものである、請求項１０に記載の医薬組成物。
【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
（３Ｚ，５Ｓ）−５−（ヒドロキシメチル）−１−［（２'−メチル−１，１'−ビフェニル−４−イル）カルボニル］ピロリジン−３−オン  О−メチルオキシムの
結晶化合物。
【請求項２】
Ｘ線粉末回折（ＸＲＰＤ）により測定される場合に、少なくとも７．０５、１２．２５、１３．１３、１６．５４、１８．００、２１．８４、及び２３．３４での回折角度（２シ−タ度）に現れる複数のピ−クを有する
請求項１に記載の結晶化合物。
【請求項３】
ＸＲＰＤにより測定される場合に、少なくとも２３．３４、１３．１３及び７．０５での回折角度（２シ−タ度）に現れるピ−クを有する
請求項２に記載の結晶化合物。
【請求項４】
７０℃から７７℃におけるシグナル最大値を含む吸熱と、
１２２℃から１３０℃におけるベ−スラインシフトと、
２３０℃から２３５℃におけるシグナル最大値を含む大きな放熱と
を伴う示差走査熱量測定（ＤＳＣ）曲線を有する
請求項１から３のいずれか一項に記載の結晶化合物。
【請求項５】
７１℃と７２℃との間におけるシグナル最大値を含む小さくて広範囲の吸熱と、
１２６℃と１２７℃との間におけるベ−スラインシフトと、
２３１℃と２３２℃との間におけるシグナル最大値を含む大きな放熱と
を伴うＤＳＣ曲線を有する
請求項４に記載の結晶化合物。
【請求項６】
７１．６７℃におけるシグナル最大値を含む小さくて広範囲の吸熱と、
１２７．４６℃におけるベ−スラインシフトと、
２３１．５０℃におけるシグナル最大値を含む大きな放熱と
を伴うＤＳＣ曲線を有する
請求項４に記載の結晶化合物。
【請求項７】
７６℃におけるシグナル最大値を含む吸熱と、
１２４℃におけるベ−スラインシフトと、
２３３℃におけるシグナル最大値を含む大きな放熱と
を伴うＤＳＣ曲線を有する
請求項４に記載の結晶化合物。
【請求項８】
熱重量分析（ＴＧＡ）により分析される場合に、
２５℃から２００℃に加熱された時において２％から７％の重量減少を示す
請求項１から７のいずれか１項に記載の結晶化合物。
【請求項９】
ＴＧＡにより分析される場合に、
２５℃から２００℃に加熱された時において３％から６％の重量減少を示す
請求項１から７のいずれか１項に記載の結晶化合物。
【請求項１０】
ＴＧＡにより分析される場合に、
２５℃から２００℃に加熱された時において、４．５％から５．８％の重量減少を示す
請求項８または９に記載の結晶化合物。
【請求項１１】
ＴＧＡにより分析される場合に、
２５℃から２００℃に加熱された時において、５．１％から５．６％の重量減少を示す
請求項８または９に記載の結晶化合物。
【請求項１２】
請求項１から１１のいずれか一項に記載の結晶化合物と、
医薬的に許容可能な賦形剤と
を含む
医薬組成物。
【請求項１３】
オキシトシン受容体（ＯＴ−Ｒ）活性に関する疾患の治療に用いられるための
請求項１２に記載の医薬組成物。
【請求項１４】
前記疾患は、早期分娩、未熟児出産、月経困難症、早漏、性的不全、子宮内膜症、胚着床不全、不妊、良性前立腺過形成、神経精神障害、自閉症、社会的行動障害、心理社会的ストレス、及び心血管障害を含む群から選択される、
請求項１３に記載の医薬組成物。
【請求項１５】
前記疾患は早期分娩である、
請求項１４に記載の医薬組成物。
【請求項１６】
対象のＯＴ−Ｒ活性に関する疾患を治療するための、
請求項１から１１のいずれか一項に記載の結晶化合物。
【請求項１７】
前記疾患は、早期分娩、未熟児出産、月経困難症、早漏、性的不全、子宮内膜症、胚着床不全、不妊、良性前立腺過形成、神経精神障害、自閉症、社会的行動障害、心理社会的ストレス、及び心血管障害を含む群から選択される、
請求項１６に記載の結晶化合物。
【請求項１８】
前記対象はヒトである、
請求項１６又は１７に記載の結晶化合物。
【請求項１９】
対象の早期分娩を治療するための、
請求項１から１１のいずれか一項に記載の結晶化合物。
【請求項２０】
前記結晶化合物は、前記結晶化合物の１０ｍｇから１０００ｍｇの単回投与量で前記対象への投与のために調剤される、
請求項１９に記載の結晶化合物。
【請求項２１】
前記単回投与量は、前記結晶化合物の５０ｍｇから９００ｍｇである、
請求項２０に記載の結晶化合物。
【請求項２２】
前記対象はヒトである、
請求項１９から２１のいずれか一項に記載の結晶化合物。
【請求項２３】
前記対象はヒトの女性である、
請求項２２に記載の結晶化合物。
【請求項２４】
胚移植を受けている対象の胚着床率を増加するための、
請求項１から１１のいずれか一項に記載の結晶化合物。
【請求項２５】
前記対象はヒトである、
請求項２４に記載の結晶化合物。
【請求項２６】
前記対象はヒトの女性である、
請求項２５に記載の結晶化合物。
【請求項２７】
（３Ｚ，５Ｓ）−５−（ヒドロキシメチル）−１−［（２'−メチル−１，１'−ビフェニル−４−イル）カルボニル］ピロリジン−３−オン  Ｏ−メチルオキシムの結晶化合物を調製するための方法であって、
１）酢酸エチル及びジエチルエ−テルを含む群から選択される溶媒の中で、（３Ｚ，５Ｓ）−５−（ヒドロキシメチル）−１−［（２'−メチル−１，１'−ビフェニル−４−イル）カルボニル］ピロリジン−３−オン  Ｏ−メチルオキシムの純粋なＺ体を溶解する段階と、
２）複数の結晶を形成させる段階と、
３）形成された前記複数の結晶を提供するべく、前記溶媒を除去し、溶液を乾燥するまで濃縮する段階と
を備える
方法。
【請求項２８】
１）（３Ｚ，５Ｓ）−５−（ヒドロキシメチル）−１−［（２'−メチル−１，１'−ビフェニル−４−イル）カルボニル］ピロリジン−３−オン  Ｏ−メチルオキシムの前記純粋なＺ体は、酢酸エチルに接触され、該懸濁液は、周囲浴において６０分間音波処理され、透明溶液が提供され、前記透明溶液は、１０分にわたって更に音波処理及び冷却され、
２）前記複数の結晶は、−１５℃と−２５℃との間の温度で４日間にわたって形成されることが許容され、
３）前記溶媒である酢酸エチルは次に、デカンテ−ションにより除去され、前記複数の結晶は、ヘキサンを用いて洗浄され、３０分間窒素フロ−で乾燥される、
請求項２７に記載の方法。
【請求項２９】
１）（３Ｚ，５Ｓ）−５−（ヒドロキシメチル）−１−［（２'−メチル−１，１'−ビフェニル−４−イル）カルボニル］ピロリジン−３−オン  Ｏ−メチルオキシムの前記純粋なＺ体は、ジエチルエ−テルに接触され、次に、回旋することによって溶解され、透明溶液は、１８℃から２３℃における状態で放置され、
２）前記複数の結晶は、１８℃から２３℃で２０時間にわたって形成されることが許容され、及び
３）、前記複数の結晶は、前記溶媒であるジエチルエ−テルを除去するべく、濾過により単離され、１８℃から２３℃で４時間にわたって、窒素下で乾燥される、
請求項２７に記載の方法。
【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
タンパク質および賦形剤化合物を含む液体配合物であって、前記賦形剤化合物がカフェインであり、粘度低減量で添加されている、液体配合物。
【請求項２】
前記タンパク質が抗体である、請求項１に記載の液体配合物。
【請求項３】
前記配合物が医薬組成物であり、前記医薬組成物が治療用タンパク質を含み、場合により治療用抗体を含む、請求項１に記載の液体配合物。
【請求項４】
前記配合物が非治療用配合物であり、前記非治療用配合物が非治療用タンパク質を含む、請求項１に記載の液体配合物。
【請求項５】
前記配合物の粘度が、前記対照配合物の粘度より少なくとも約５０％低い、場合により少なくとも約７０％低い、場合により少なくとも約９０％低い、請求項１に記載の配合物。
【請求項６】
前記粘度が約１００ｃＰ未満である、場合により約５０ｃＰ未満である、場合により約２０ｃＰ未満である、場合により約１０ｃＰ未満である、請求項１〜５のいずれか１項に記載の配合物。
【請求項７】
前記配合物が、少なくとも約２５ｍｇ／ｍＬの前記タンパク質を含む、場合により少なくとも約１００ｍｇ／ｍＬの前記タンパク質を含む、場合により少なくとも約２００ｍｇ／ｍＬの前記タンパク質を含む、場合により少なくとも約３００ｍｇ／ｍＬの前記タンパク質を含む、請求項１〜６のいずれか１項に記載の配合物。
【請求項８】
約５ｍｇ／ｍＬ〜約３００ｍｇ／ｍＬの前記賦形剤化合物を含む、場合により約１０ｍｇ／ｍＬ〜約２００ｍｇ／ｍＬの前記賦形剤化合物を含む、請求項１〜７のいずれか１項に記載の配合物。
【請求項９】
前記配合物が、前記対照配合物に比べて、向上した安定性を有する、請求項１〜８のいずれか１項に記載の配合物。
【請求項１０】
前記カフェインが、前記配合物の粘度をさらに低減させる第２の賦形剤化合物と組み合わされる、請求項１〜９のいずれか１項に記載の配合物。
【請求項１１】
前記第２の賦形剤化合物が、テオフィリン、チラミン、プロカイン、リドカイン、イミダゾール、アスパルテーム、サッカリン、およびアセスルファムカリウムからなる群から選択される、請求項１０に記載の配合物。
【請求項１２】
防腐剤、界面活性剤、糖類、多糖類、アルギニン、プロリン、ヒアルロニダーゼ、安定剤、および緩衝剤からなる群より選択される追加の薬剤をさらに含む、請求項１０に記載の配合物。
【請求項１３】
哺乳動物の疾患または障害の治療用の液体配合物であって、
前記治療用の液体配合物が、請求項１〜３及び５〜１２のいずれか１項に記載の配合物から選択される、哺乳動物の疾患または障害の治療用の液体配合物。
【請求項１４】
皮下注射用、筋肉内注射用、または静脈内注射用の、請求項１３に記載の液体配合物。
【請求項１５】
哺乳動物における治療用タンパク質の注射部位での疼痛を低減する用の注射可能な液体治療用配合物であって、前記注射可能な液体治療用配合物が、請求項１〜１２のいずれか１項に記載の配合物から選択される、哺乳動物における治療用タンパク質の注射部位での疼痛を低減する用の注射可能な液体治療用配合物。
【請求項１６】
治療用タンパク質およびカフェインを含有する液体タンパク質配合物を調製することを含む、液体タンパク質配合物の安定性を向上させる方法であって、
前記液体タンパク質配合物の安定性が、冷蔵状態安定性、室温安定性および高温安定性から選択される、液体タンパク質配合物の安定性を向上させる方法。
【請求項１７】
タンパク質関連プロセスを改善する方法であって、請求項１〜１２のいずれか１項に記載の液体配合物を用意すること、およびそれを処理方法で用いることを含む方法。
【請求項１８】
前記処理方法が、濾過、圧送、混合、遠心分離、膜分離、凍結乾燥、およびクロマトグラフィーからなる群から選択される、請求項１７に記載の方法。
【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
コハク酸脱水素酵素阻害剤又は薬学的に許容されるその塩を含む、コハク酸の蓄積を阻害することによる再灌流傷害の治療剤又は予防剤であって、前記コハク酸脱水素酵素阻害剤又は薬学的に許容されるその塩が、Ｒ１Ｏ２Ｃ−ＣＨ２−ＣＯ２Ｒ４、Ｒ１Ｏ２Ｃ−ＣＨ（ＯＨ）−ＣＨ２−ＣＯ２Ｒ４及びＲ１Ｏ２Ｃ−ＣＨ２−Ｃ（Ｏ）−ＣＯ２Ｒ４（式中、Ｒ１は、Ｃ１−１２アルキルから選択され；Ｒ４は、Ｃ１−１２アルキルから選択される）から選択される細胞透過性及び可逆性コハク酸脱水素酵素阻害剤である、前記治療剤又は予防剤。
【請求項２】
コハク酸脱水素酵素阻害剤又は薬学的に許容されるその塩が、Ｒ１Ｏ２Ｃ−ＣＨ２−ＣＯ２Ｒ４（式中、Ｒ１及びＲ４は独立に、メチル、エチル、プロピル、及びブチルから選択される）から選択される、請求項１に記載の治療剤又は予防剤。
【請求項３】
コハク酸脱水素酵素阻害剤又は薬学的に許容されるその塩が、ジメチルマロン酸である、請求項１又は２に記載の治療剤又は予防剤。
【請求項４】
再灌流傷害が虚血性再灌流傷害である、請求項１〜３のいずれかに記載の治療剤又は予防剤。
【請求項５】
再灌流傷害が、腹部大動脈瘤、アテローム性動脈硬化、動脈疾患、火傷、がん、心停止、脳血管疾患、脳卒中に続発する脳浮腫、慢性閉塞性肺疾患、うっ血性心臓病、経皮経管冠動脈形成後の狭窄、冠疾患、糖尿病、高血圧、挫滅又は外科手術から生じる機械的外傷、偏頭痛、心筋梗塞、末梢血管疾患、肺血管疾患、心臓外科手術後の再灌流、脳卒中後の再灌流、網膜の血管疾患、脳卒中、及び外科的な組織の再灌流傷害から選択される障害の結果である、請求項１〜３のいずれかに記載の治療剤又は予防剤。
【請求項６】
再灌流傷害が、コハク酸の蓄積を阻害することによる待機的外科手術での再灌流傷害である、請求項１〜３のいずれかに記載の治療剤又は予防剤。
【請求項７】
再灌流傷害が、保存する臓器での再灌流傷害である、請求項１〜３のいずれかに記載の治療剤又は予防剤。
【請求項８】
再灌流傷害が、臓器移植での再灌流傷害である、請求項１〜３のいずれかに記載の治療剤又は予防剤。
【請求項９】
コハク酸脱水素酵素阻害剤が、血流の閉塞を取り除くために使用した、或いはそれを意図した治療と組み合わせて投与される、請求項１〜３のいずれかに記載の治療剤又は予防剤。
【請求項１０】
血流の閉塞を取り除くために使用した、或いはそれを意図した治療が、血液希釈剤、溶解剤、MitoSNO及びステントから選択される、請求項９に記載の治療剤又は予防剤。
【請求項１１】
コハク酸の蓄積を阻害することによる再灌流傷害を治療する又は予防する薬品の製造のための、コハク酸脱水素酵素阻害剤又は薬学的に許容されるその塩の使用であって、前記コハク酸脱水素酵素阻害剤又は薬学的に許容されるその塩が、Ｒ１Ｏ２Ｃ−ＣＨ２−ＣＯ２Ｒ４、Ｒ１Ｏ２Ｃ−ＣＨ（ＯＨ）−ＣＨ２−ＣＯ２Ｒ４及びＲ１Ｏ２Ｃ−ＣＨ２−Ｃ（Ｏ）−ＣＯ２Ｒ４（式中Ｒ１は、Ｃ１−１２アルキルから選択され；Ｒ４は、Ｃ１−１２アルキルから選択される）から選択されるコハク酸脱水素酵素の細胞透過性及び可逆性阻害剤である、前記使用。
【手続補正書】
【提出日】平成30年2月14日(2018.2.14)
【手続補正１】
【補正対象書類名】特許請求の範囲
【補正対象項目名】全文
【補正方法】変更
【補正の内容】
【特許請求の範囲】
【請求項１】
第１のシルセスキオキサンポリマーを含むコアと、前記コアに結合している第２のシルセスキオキサンポリマーを含む外層とを含み、前記コアの前記シルセスキオキサンポリマー、前記外層の前記シルセスキオキサンポリマー、又はこれらの組み合わせがエチレン性不飽和基を含む、硬化性シルセスキオキサンポリマー。
【請求項２】
前記コアの前記第１のシルセスキオキサンポリマーが、３個の酸素原子に結合したケイ素原子を介して前記外層の前記第２のシルセスキオキサンポリマーに結合している、請求項１に記載の硬化性シルセスキオキサンポリマー。
【請求項３】
前記外層が、前記コアよりも高濃度のエチレン性不飽和基を有する、請求項１又は２に記載の硬化性シルセスキオキサンポリマー。
【請求項４】
前記外層が、次式
【化１】
2017519081.tif 000001
を有する三次元分岐状ネットワークを含み、式中、
Ｒは、エチレン性不飽和基を含む有機基であり、
Ｒ２は、エチレン性不飽和基を含まない有機基であり、
前記＊における酸素原子は、三次元分岐状ネットワーク内で、別のＳｉ原子と結合しており、
ｎは少なくとも２であり、ｍは少なくとも１である、請求項１〜３のいずれか一項に記載の硬化性シルセスキオキサンポリマー。
【請求項５】
前記コアが、次式
【化２】
2017519081.tif 000002
を有する三次元分岐状ネットワークを含み、式中、
Ｒ２は、エチレン性不飽和基を含まない有機基であり、
前記＊における酸素原子は、前記三次元分岐状ネットワーク内で、別のＳｉ原子と結合しており、
ｍ又はｎ＋ｍは少なくとも２である、請求項１〜４のいずれか一項に記載の硬化性シルセスキオキサンポリマー。
【請求項６】
前記コアが、前記外層よりも高濃度のエチレン性不飽和基を有する、請求項１又は２に記載の硬化性シルセスキオキサンポリマー。
【請求項７】
前記コアが、次式
【化３】
2017519081.tif 000003
を有する三次元分岐状ネットワークを含み、式中、
Ｒは、エチレン性不飽和基を含む有機基であり、
Ｒ２は、エチレン性不飽和基を含まない有機基であり、
前記＊における酸素原子は、三次元分岐状ネットワーク内で、別のＳｉ原子と結合しており、
ｎは少なくとも２であり、ｍは少なくとも１である、請求項６に記載の硬化性シルセスキオキサンポリマー。
【請求項８】
前記外層が、次式
【化４】
2017519081.tif 000004
を有する三次元分岐状ネットワークを含み、式中、
Ｒ２は、エチレン性不飽和基を含まない有機基であり、
前記＊における酸素原子は、前記三次元分岐状ネットワーク内で、別のＳｉ原子と結合しており、
ｍ又はｎ＋ｍは少なくとも２である、請求項６又は７に記載の硬化性シルセスキオキサンポリマー。
【請求項９】
前記硬化性シルセスキオキサンポリマーが、式−Ｓｉ（Ｒ３）３を有する末端基を含み、式中、Ｒ３は、独立して、場合により更に置換基を含む、アルキル、アリール、アラルキル又はアルカリルから選択される、請求項１〜８のいずれか一項に記載の硬化性シルセスキオキサンポリマー。
【請求項１０】
前記硬化性シルセスキオキサンポリマーが、前記シルセスキオキサンポリマーの５重量％以下の量で存在する−ＯＨ基を更に含む、請求項１〜９のいずれか一項に記載の硬化性シルセスキオキサンポリマー。
【請求項１１】
前記エチレン性不飽和基がビニル基又はアルケニル基である、請求項１〜１０のいずれか一項に記載の硬化性シルセスキオキサンポリマー。
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
非天然融合分子、および１つ以上の薬理学的に許容されるキャリアを含み、対象への経口送達のために製剤され、ここで、前記融合分子は、生物活性カーゴとカップリングされた修飾コリックス毒素を含み、ここで、前記コリックス毒素は、コリックス毒素ドメインＩｂ内のアミノ酸残基で切断されており、およびここで、前記融合分子は、前記生物活性カーゴに対する受容体を活性化する能力、または触媒活性物質の触媒プロセスを可能とする能力を有する医薬組成物。
【請求項２】
前記切断型コリックス毒素が、配列番号４２、配列番号４３、配列番号４４、配列番号４５、配列番号４６、配列番号４７、配列番号：４８、配列番号４９、配列番号５０、配列番号５１、配列番号５２、配列番号５３、配列番号５４、配列番号５５、配列番号５６、配列番号５７、配列番号５８、配列番号５９、配列番号６０、配列番号６１、配列番号６２、配列番号６３、配列番号６４、配列番号６５、配列番号６６、配列番号６７、配列番号６８、配列番号６９、配列番号７０、配列番号７１、配列番号７２、配列番号７３、配列番号７４、配列番号７５、配列番号７６、配列番号７７、配列番号７８、配列番号７９、または配列番号８０に示されるアミノ酸配列を含む、請求項１に記載の医薬組成物。
【請求項３】
非天然融合分子、および１つ以上の薬理学的に許容されるキャリアを含み、対象への経口送達のために製剤され、ここで、前記融合分子は、生物活性カーゴとカップリングされた修飾コリックス毒素を含み、ここで、前記コリックス毒素は、コリックス毒素ドメインＩＩ内のアミノ酸残基Ａｌａ３８６ではないアミノ酸残基で切断されており、およびここで、前記融合分子は、前記生物活性カーゴに対する受容体を活性化する能力、または触媒活性物質の触媒プロセスを可能とする能力を有する医薬組成物。
【請求項４】
前記切断型コリックス毒素が、配列番号４、配列番号５、配列番号６、配列番号７、配列番号８、配列番号９、配列番号１０、配列番号１１、配列番号１２、配列番号１３、配列番号１４、配列番号１５、配列番号１６、配列番号１７、配列番号１８、配列番号１９、配列番号２０、配列番号２１、配列番号２２、配列番号２３、配列番号２４、配列番号２５、配列番号２６、配列番号２７、配列番号２８、配列番号２９、配列番号３０、配列番号３１、配列番号３２、配列番号３３、配列番号３４、配列番号３５、配列番号３６、配列番号３７、配列番号３８、配列番号３９、配列番号４０、または配列番号４１に示されるアミノ酸配列を含む、請求項３に記載の医薬組成物。
【請求項５】
前記生物活性カーゴが、高分子、小分子、ペプチド、ポリペプチド、核酸、ｍＲＮＡ、ｍｉＲＮＡ、ｓｈＲＮＡ、ｓｉＲＮＡ、アンチセンス分子、抗体、ＤＮＡ、プラスミド、ワクチン、ポリマーナノ粒子、または触媒活性物質である、請求項１〜４のいずれか一項に記載の医薬組成物。
【請求項６】
前記生物活性カーゴが、ＧＩ管における炎症の修飾因子であるポリペプチドである、請求項５に記載の医薬組成物。
【請求項７】
前記ポリペプチドが、インターロイキン‐１０（配列番号８２）、インターロイキン‐１９（配列番号８３）、インターロイキン‐２０（配列番号８４）、インターロイキン‐２２（配列番号８５）、インターロイキン‐２４（配列番号８６）、またはインターロイキン‐２６（配列番号８７）である、請求項６に記載の医薬組成物。
【請求項８】
前記生物活性カーゴは、腫瘍壊死因子（ＴＮＦ）阻害剤であり、前記ＴＮＦ阻害剤は、配列番号８８または配列番号９０に示す配列から選択される重鎖可変領域アミノ酸配列および配列番号８９または配列番号９１に示す配列から選択される軽鎖可変領域アミノ酸配列を含む抗体である、請求項５に記載の医薬組成物。
【請求項９】
前記生物活性カーゴが、可溶性ＴＮＦ受容体融合タンパク質であるＴＮＦ阻害剤である、請求項５に記載の医薬組成物。
【請求項１０】
前記可溶性ＴＮＦ受容体融合タンパク質が、配列番号９２に示されるアミノ酸配列を含む、請求項９に記載の医薬組成物。
【請求項１１】
前記生物活性カーゴが、血糖降下剤である、請求項５に記載の医薬組成物。
【請求項１２】
前記血糖降下剤が、ＧＬＰ‐１アゴニストペプチド（配列番号９３）またはＧＬＰ‐１アゴニストペプチド（配列番号９４）である、請求項１１に記載の医薬組成物。
【請求項１３】
前記生物活性カーゴが、成長ホルモンである、請求項５に記載の医薬組成物。
【請求項１４】
前記成長ホルモンが、ヒト成長ホルモン（もしくはそのバリアント）、成長ホルモン２、または成長ホルモン放出ホルモンである、請求項１３に記載の医薬組成物。
【請求項１５】
前記ヒト成長ホルモンが、配列番号９５に示されるアミノ酸配列を含む、請求項１４に記載の医薬組成物。
【請求項１６】
非天然融合分子、および１つ以上の薬理学的に許容されるキャリアを含み、対象への経口送達のために製剤され、ここで、前記融合分子は、生物活性カーゴとカップリングされた修飾コリックス毒素を含み、ここで、前記コリックス毒素は、コリックス毒素ドメインＩｂ内のアミノ酸残基で切断されており、およびここで、前記生物活性カーゴは、ヒアルロニダーゼ、ストレプトキナーゼ、組織プラスミノーゲンアクチベーター、ウロキナーゼ、またはＰＧＥ‐アデノシンデアミナーゼから選択される酵素である医薬組成物。
【請求項１７】
非天然融合分子、および１つ以上の薬理学的に許容されるキャリアを含み、対象への経口送達のために製剤され、ここで、前記融合分子は、生物活性カーゴとカップリングされた修飾コリックス毒素を含み、ここで、前記コリックス毒素は、コリックス毒素ドメインＩＩ内のアミノ酸残基で切断されており、およびここで、前記生物活性カーゴは、ヒアルロニダーゼ、ストレプトキナーゼ、組織プラスミノーゲンアクチベーター、ウロキナーゼ、またはＰＧＥ‐アデノシンデアミナーゼから選択される酵素である医薬組成物。
【請求項１８】
炎症性疾患の治療、予防、および／または防止を、それを必要とする対象において行うための医薬の作製における請求項１〜１７のいずれか一項に記載の非天然融合分子の使用。
【請求項１９】
代謝障害の治療、予防、および／または防止を、それを必要とする対象において行うための医薬の作製における請求項１〜１７のいずれか一項に記載の非天然融合分子の使用。
【請求項２０】
ＧＨ不全成長障害の治療、予防、および／または防止を、それを必要とする対象において行うための医薬の作製における請求項１〜１７のいずれか一項に記載の非天然融合分子の使用。